(57)【要約】【課題】転覆現象を未然に防止することが可能な、スクロール圧縮機を用いた空気調和機を提供する【解決手段】空気調和機１は、スクロール圧縮機２１、膨張弁２８、室内ファン１２、および、室外ファン２６を制御する制御部１５、２９を備える。制御部１５によって設定されるスクロール圧縮機２１の回転数Ｎが予め定められた回転数の値Ｎｒ以下のとき、制御部１５は、スクロール圧縮機２１の吸入側と吐出側における冷媒に圧力差を生じさせるように、膨張弁２８の開度、室内ファン１２の回転数、または、室外ファン２６の回転数の少なくともいずれかを制御する。【選択図】図１
2007198664.tif 000002
【特許請求の範囲】
【請求項１】
スクロール圧縮機、膨張弁、室内ファン、および、室外ファンを制御する制御部を備え、
前記制御部によって設定される前記スクロール圧縮機の回転数が予め定められた回転数の値以下のとき、前記制御部は、前記スクロール圧縮機の吸入側と吐出側における冷媒に所定値以上の圧力差を生じさせるように、膨張弁の開度、室内ファンの回転数、または、室外ファンの回転数の少なくともいずれかを制御することを特徴とする、空気調和機。
【請求項２】
前記制御部によって設定される前記スクロール圧縮機の回転数が予め定められた回転数の値以下のとき、前記制御部は、前記膨張弁の開度を予め定められた値だけ閉じるように前記膨張弁を制御することを特徴とする、請求項１に記載の空気調和機。
【請求項３】
前記スクロール圧縮機の吐出側の冷媒の温度を検出する吐出温度検出部を備え、
前記制御部は、前記膨張弁の開度を予め定められた値だけ閉じるように前記膨張弁を制御した後、前記吐出温度検出部によって検出された吐出側の冷媒の温度の変化量が予め定められた値以上になると、前記膨張弁の開度をもとの値に戻すことを特徴とする、請求項２に記載の空気調和機。
【請求項４】
前記スクロール圧縮機の吸入側の冷媒の温度を検出する吸入温度検出部と、
室内熱交換器における空気の温度を検出する室内熱交換器温度検出部とを備え、
前記吸入温度検出部によって検出された吸入側の冷媒の温度から、前記室内熱交換器温度検出部によって検出された室内熱交換器における空気の温度を差し引いた値の変化量が予め定められた値以上になると、前記膨張弁の開度をもとの値に戻すことを特徴とする、請求項２または請求項３に記載の空気調和機。
【請求項５】
冷房運転時に前記制御部によって設定される前記スクロール圧縮機の回転数が予め定められた回転数の値以下のとき、前記制御部は、予め定められた時間だけ前記室内ファンの回転数を減少させるように前記室内ファンを制御することを特徴とする、請求項１に記載の空気調和機。
【請求項６】
暖房運転時に前記制御部によって設定される前記スクロール圧縮機の回転数が予め定められた回転数の値以下のとき、前記制御部は、予め定められた時間だけ前記室外ファンの回転数を減少させるように前記室外ファンを制御することを特徴とする、請求項１に記載の空気調和機。
【請求項７】
複数の運転モードから所定の運転モードを選択する選択部を備え、
前記選択部によって選択された運転モードに従って、前記制御部は、前記スクロール圧縮機の回転数を設定することを特徴とする、請求項１から請求項６までのいずれか１項に記載の空気調和機。
【発明の詳細な説明】
【技術分野】
【０００１】
この発明は、一般的には空気調和機に関し、特定的にはスクロール圧縮機を用いた空気調和機に関するものである。
【背景技術】
【０００２】
従来から、スクロール圧縮機を用いた空気調和機が知られている。スクロール圧縮機では、固定スクロールと旋回スクロールという２枚の渦巻き羽根が回転して吸入、圧縮、吐出の行程を行っている。また、性能を向上させるために、吸込み側と吐出側の気密を保つ方法として、圧縮機自体が圧縮した背圧によって、旋回スクロールを固定スクロールに押し付ける構造を採用している。
【０００３】
しかし、空調負荷が小さい場合に、低速域で圧縮機を運転すると、吸込み側と吐出側の差圧を十分に確保することができない。そして、この差圧が下限値以下になると、吸込み側と吐出側の気密が失われ、空回りをする現象、いわゆる、転覆現象が発生する。この転覆現象を回避するための技術が提案されている。
【０００４】
たとえば、特開平６−１４７６５５号公報（特許文献１）には、差圧が下限許容値を切らないように制御することにより、低速域でのワイドレンジ化を可能とする空気調和機の制御方法が提案されている。この空気調和機の制御方法は、スクロール形圧縮機駆動用電動機の回転数と電流により、あらかじめ内蔵してあるテーブルを使用して圧縮機の吸い込み側と吐出側との差圧を算出し、この差圧が下限許容値以上になるように、電子式膨張弁の開度の制御を行う方法である。
【０００５】
また、たとえば、特開２００５−１９５２１２号公報（特許文献２）には、スクロール圧縮機を用いた冷凍サイクル装置において、スクロール圧縮機の転覆を防止し、転覆が起こった場合でも転覆を検出して速やかに転覆を回復させ、冷凍能力の低下を防ぎ、冷凍サイクルの変動を防止する装置が提案されている。この冷凍サイクル装置は、スクロール圧縮機の高圧冷媒圧力と低圧冷媒圧力とを検出し、この検出した出力信号により演算した冷媒の圧縮比が所定値以下である場合、スクロール圧縮機が転覆したと検出し、圧縮比が大きくなるように減圧器の絞り量を所定量絞り、その後、開くことにより、転覆を回復させるものである。
【特許文献１】特開平６−１４７６５５号公報
【特許文献２】特開２００５−１９５２１２号公報
【発明の開示】
【発明が解決しようとする課題】
【０００６】
しかしながら、転覆現象が発生した場合、気密漏れにより能力が大きく低下するが、スクロール形圧縮機駆動用電動機の回転数は所定のままであり、仕事を全くしていないわけではないので、スクロール形圧縮機駆動用電動機の電流は判定することができるほど低下しない。したがって、特開平６−１４７６５５号公報（特許文献１）で提案された従来の空気調和機の制御方法では、スクロール形圧縮機駆動用電動機の回転数と電流により、転覆現象を判定するには非常に精度の高い電流センサと膨大なテーブルを用意する必要があるので、実用的ではない。
【０００７】
また、特開２００５−１９５２１２号公報（特許文献２）で提案された冷凍サイクル装置では、転覆現象を判定する方法として、圧縮機の吸込み側と吐出側に圧力検出手段を用いているので、特開平６−１４７６５５号公報（特許文献１）で提案された空気調和機の制御方法に比べると、吸込み側と吐出側の差圧を直接的に判定することができる。しかしながら、圧力検出手段は非常に高価であり、製造コストが高くなる。圧力検出手段の代わりに冷媒の飽和温度を検出する温度センサを用いることも上記の公報で提案されているが、応答性と正確性に問題がある。
【０００８】
そこで、この発明の目的は、転覆現象を未然に防止することが可能な、スクロール圧縮機を用いた空気調和機を提供することである。
【課題を解決するための手段】
【０００９】
この発明に従った空気調和機は、スクロール圧縮機、膨張弁、室内ファン、および、室外ファンを制御する制御部を備える。制御部によって設定されるスクロール圧縮機の回転数が予め定められた回転数の値以下のとき、制御部は、スクロール圧縮機の吸入側と吐出側における冷媒に所定値以上の圧力差を生じさせるように、膨張弁の開度、室内ファンの回転数、または、室外ファンの回転数の少なくともいずれかを制御する。
【００１０】
この発明の空気調和機においては、転覆現象の発生条件を、スクロール圧縮機の構造に応じて予め想定し、圧縮機の回転数が一定の回転数以下のときに吸入側と吐出側における冷媒の圧力差が小さくなる場合に特定する。そして、スクロール圧縮機の運転を制御するために制御部から一定の回転数以下の指令が出された場合に、スクロール圧縮機の吸入側と吐出側における冷媒に圧力差を強制的に生じさせるようにする。このようにすることにより、転覆現象が起こる前に、圧縮機の回転数が一定値以下になるときに吸入側と吐出側における冷媒に圧力差を強制的に生じさせるので、転覆現象を未然に防止することができる。
【００１１】
この発明の空気調和機においては、制御部によって設定されるスクロール圧縮機の回転数が予め定められた回転数の値以下のとき、制御部は、膨張弁の開度を予め定められた値だけ閉じるように膨張弁を制御することが好ましい。
【００１２】
このようにすることによって、スクロール圧縮機の吸入側と吐出側における冷媒に圧力差を強制的に生じさせることができる。
【００１３】
空気調和機において膨張弁の開度を一定時間以上、強制的に目標値より変動させると、露飛び等の品質上の問題が発生する可能性がある。このため、膨張弁の開度を変動させる時間を制限する必要がある。
【００１４】
そこで、この場合、この発明の空気調和機は、スクロール圧縮機の吐出側の冷媒の温度を検出する吐出温度検出部を備え、制御部は、膨張弁の開度を予め定められた値だけ閉じるように膨張弁を制御した後、吐出温度検出部によって検出された吐出側の冷媒の温度の変化量が予め定められた値以上になると、膨張弁の開度をもとの値に戻すことが好ましい。
【００１５】
また、この場合、この発明の空気調和機は、スクロール圧縮機の吸入側の冷媒の温度を検出する吸入温度検出部と、室内熱交換器における空気の温度を検出する室内熱交換器温度検出部とを備え、吸入温度検出部によって検出された吸入側の冷媒の温度から、室内熱交換器温度検出部によって検出された室内熱交換器における空気の温度を差し引いた値の変化量、いわゆる、吸入側過熱度の変化量が予め定められた値以上になると、膨張弁の開度をもとの値に戻すことが好ましい。
【００１６】
この発明の空気調和機においては、冷房運転時に制御部によって設定されるスクロール圧縮機の回転数が予め定められた回転数の値以下のとき、制御部は、予め定められた時間だけ室内ファンの回転数を減少させるように室内ファンを制御することが好ましい。
【００１７】
このようにすることによって、スクロール圧縮機の吸入側と吐出側における冷媒に圧力差を強制的に生じさせることができ、また一定時間後、室内ファンの回転数をもとに戻すことができる。
【００１８】
また、この発明の空気調和機においては、暖房運転時に制御部によって設定されるスクロール圧縮機の回転数が予め定められた回転数の値以下のとき、制御部は、予め定められた時間だけ室外ファンの回転数を減少させるように室外ファンを制御することが好ましい。
【００１９】
このようにすることによって、スクロール圧縮機の吸入側と吐出側における冷媒に圧力差を強制的に生じさせることができ、また一定時間後、室外ファンの回転数をもとに戻すことができる。
【００２０】
なお、この発明の空気調和機は、複数の運転モードから所定の運転モードを選択する選択部を備え、選択部によって選択された運転モードに従って、制御部は、スクロール圧縮機の回転数を設定することが好ましい。
【００２１】
これにより、選択部によって選択された運転モードに従って、スクロール圧縮機の回転数の上限値が強制的に規制され、スクロール圧縮機の吸入側と吐出側における冷媒の圧力差が小さくなるような運転モードが選択された場合にも、転覆現象が起こる前に、圧縮機の回転数が一定値以下になるときに吸入側と吐出側における冷媒に圧力差を強制的に生じさせるので、転覆現象を未然に防止することができる。
【発明の効果】
【００２２】
以上のようにこの発明によれば、スクロール圧縮機を備えた空気調和機において転覆現象を未然に防止することができる。
【発明を実施するための最良の形態】
【００２３】
以下、この発明の一つの実施の形態を図面に基づいて説明する。
【００２４】
図１は、この発明の一つの実施の形態として空気調和機の冷凍サイクルを示す図である。
【００２５】
図１に示すように、空気調和機１は室内機１０と室外機２０とを備える。室内機１０は、室内熱交換器１１と、室内ファン１２と、室内制御装置として制御部１５とを備える。室外機２０は、スクロール圧縮機２１と、四方弁２４と、室外熱交換器２５と、室外ファン２６と、膨張弁（電子膨張弁）２８と、室外制御装置として制御部２９とを備える。
【００２６】
室内ファン１２は、室内熱交換器１１に室内空気を通過させるためのものであり、室内ファンモータ１３によって駆動される。スクロール圧縮機２１は、圧縮機モータ２２によって駆動され、その吸込み側にはアキュムレータ２３が接続されている。室外ファン２６は、室外熱交換器２５に室外空気を通過させるためのものであり、室外ファンモータ２７によって駆動される。
【００２７】
室内機１０と室外機２０の接続経路には二つのバルブが設けられ、室内機１０と室外機２０の各構成要素は、順次、冷媒配管によって接続されて周知の冷凍サイクルを構成する。
【００２８】
冷房運転時には、冷媒は、実線の矢印で示すように、スクロール圧縮機２１、四方弁２４、室外熱交換器２５、膨張弁２８、室内熱交換器１１、四方弁２４、アキュムレータ２３およびスクロール圧縮機２１の順の経路で循環する。この場合、室外熱交換器２５は凝縮器として機能し、室内熱交換器１１は蒸発器として機能する。
【００２９】
暖房運転時には、冷媒は、破線の矢印で示すように、スクロール圧縮機２１、四方弁２４、室内熱交換器１１、膨張弁２８、室外熱交換器２５、四方弁２４、アキュムレータ２３およびスクロール圧縮機２１の順の経路で循環する。この場合、室内熱交換器１１は凝縮器として機能し、室外熱交換器２５は蒸発器として機能する。
【００３０】
室内機１０は、室内熱交換器１１における空気の温度を検出する室内熱交換器温度検出部１４を備える。制御部１５は、選択された運転モードに従って、室内ファン１２の回転数、すなわち、室内ファンモータ１３の回転数を制御するとともに、制御情報を制御部２９に送信する。制御部２９は、制御部１５から受信した制御情報に応じて、スクロール圧縮機２１の回転数、すなわち、圧縮機モータ２２の回転数と、室外ファン２６の回転数、すなわち、室外ファンモータ２７の回転数とを制御する。
【００３１】
室外機２０は、スクロール圧縮機２１の吐出側の冷媒の温度を検出する吐出温度検出部２１ａと、スクロール圧縮機２１の吸入側の冷媒の温度を検出する吸入温度検出部２１ｂとを備える。
【００３２】
図２は、運転中においてスクロール圧縮機の転覆現象を防止するために、図１に示す制御部１５または制御部２９を構成するマイクロコンピュータの処理手順の一例を示すフローチャートである。
【００３３】
図１と図２を参照して、リモートコントローラ等の選択部によって複数の運転モードから所定の運転モードが選択された場合の処理手順を説明する。
【００３４】
まず、選択部としてのリモートコントローラ等によって、所定の運転モードが選択されると、リモートコントローラ等から、室内機１０の制御部１５に運転モードを送信する。そうすると、ステップＳ１０１にて、制御部１５は、選択された運転モードに従って、空調負荷に応じて、スクロール圧縮機２１の回転数Ｎを設定する。このとき、制御部１５は、スクロール圧縮機２１の回転数Ｎを含む制御情報を制御部２９に送信する。制御部２９は、制御部１５から受信した制御情報に応じて、スクロール圧縮機２１の回転数、すなわち、圧縮機モータ２２の回転数を制御する。
【００３５】
この発明の実施の形態では、ステップＳ１０２にて、制御部１５は、設定されたスクロール圧縮機２１の回転数Ｎが予め定められた回転数Ｎｒ以下か否かを判定する。
【００３６】
そして、設定されたスクロール圧縮機２１の回転数Ｎが予め定められた回転数Ｎｒ以下のとき、ステップＳ１０３にて、制御部１５は、膨張弁２８の開度Ｐをもとの開度Ｐ０から予め定められた値としてＰｒパルスだけ閉じるように膨張弁２８を制御する制御信号を制御部２９に送信する。この制御信号に応じて、制御部２９は、膨張弁２８の開度を制御する。
【００３７】
設定されたスクロール圧縮機２１の回転数Ｎが予め定められた回転数Ｎｒより高いとき、ステップＳ１０６にて、制御部１５は、膨張弁２８の開度Ｐを開度Ｐ０に維持するように膨張弁２８を制御する制御信号を制御部２９に送信する。この制御信号に応じて、制御部２９は、膨張弁２８の開度を制御する。
【００３８】
空気調和機１においては、転覆現象の発生条件を、スクロール圧縮機２１の構造に応じて予め想定し、スクロール圧縮機２１の回転数が一定の回転数Ｎｒ以下のときに吸入側と吐出側における冷媒の圧力差が小さくなる場合に特定する。そして、スクロール圧縮機２１の運転を制御するために制御部２９から一定の回転数Ｎｒ以下の指令が出された場合に、スクロール圧縮機２１の吸入側と吐出側における冷媒に圧力差を強制的に生じさせるようにする。
【００３９】
この実施の形態では、制御部１５は、膨張弁２８の開度Ｐを予め定められた値Ｐｒだけ閉じるように膨張弁２８を制御することによって、スクロール圧縮機２１の吸入側と吐出側における冷媒に圧力差を強制的に生じさせる。
【００４０】
このようにすることにより、転覆現象が起こる前に、スクロール圧縮機２１の回転数が一定値Ｎｒ以下になるときに吸入側と吐出側における冷媒に圧力差を強制的に生じさせるので、転覆現象を未然に防止することができる。
【００４１】
次に、ステップＳ１０４にて、制御部１５は、吐出温度検出部２１ａによって検出されたスクロール圧縮機２１の吐出側の冷媒の温度Ｔｏの変化量ΔＴｏが予め定められた上限値Ｔｏｕ以上になったか否かを判定する。
【００４２】
そして、スクロール圧縮機２１の吐出側の冷媒の温度Ｔｏの変化量ΔＴｏが予め定められた上限値Ｔｏｕ以上のとき、ステップＳ１０６にて、制御部１５は、膨張弁２８の開度Ｐをもとの開度Ｐ０に戻すように膨張弁２８を制御する制御信号を制御部２９に送信する。この制御信号に応じて、制御部２９は、膨張弁２８の開度を制御する。
【００４３】
次に、スクロール圧縮機２１の吐出側の冷媒の温度Ｔｏの変化量ΔＴｏが予め定められた上限値Ｔｏｕ未満のとき、ステップＳ１０５にて、制御部１５は、吸入温度検出部２１ｂによって検出されたスクロール圧縮機２１の吸入側の冷媒の温度Ｔｉから、室内熱交換器温度検出部１４によって検出された室内熱交換器１１における空気の温度Ｔｄを差し引いた値（Ｔｉ−Ｔｄ）の変化量、すなわち、吸入過熱度の変化量ΔＴｉｄが予め定められた上限値ΔＴｉｄｕ以上になったか否かを判定する。
【００４４】
そして、吸入過熱度の変化量ΔＴｉｄが予め定められた上限値ΔＴｉｄｕ以上のとき、ステップＳ１０６にて、制御部１５は、膨張弁２８の開度Ｐをもとの開度Ｐ０に戻すように膨張弁２８を制御する制御信号を制御部２９に送信する。この制御信号に応じて、制御部２９は、膨張弁２８の開度を制御する。
【００４５】
吸入過熱度の変化量ΔＴｉｄが予め定められた上限値ΔＴｉｄｕ未満のとき、膨張弁２８の開度Ｐをもとの開度Ｐ０に戻さない。
【００４６】
空気調和機１において膨張弁２８の開度Ｐを一定時間以上、強制的に目標値Ｐ０より変動させると、露飛び等の品質上の問題が発生する可能性がある。このため、膨張弁２８の開度Ｐを変動させる時間を制限する必要がある。
【００４７】
そこで、上記の実施の形態では、空気調和機１は、スクロール圧縮機２１の吐出側の冷媒の温度を検出する吐出温度検出部２１ａを備えている。制御部１５は、膨張弁２１の開度Ｐを予め定められた値Ｐｒだけ閉じるように膨張弁２８を制御した後、吐出温度検出部２１ａによって検出された吐出側の冷媒の温度の変化量ΔＴｏが予め定められた値Ｔｏｕ以上になると、膨張弁２８の開度Ｐをもとの値Ｐ０に戻している。
【００４８】
また、上記の実施の形態では、空気調和機１は、スクロール圧縮機２１の吸入側の冷媒の温度を検出する吸入温度検出部２１ｂと、室内熱交換器１１における空気の温度を検出する室内熱交換器温度検出部１４とを備えている。吸入温度検出部２１ｂによって検出された吸入側の冷媒の温度から、室内熱交換器温度検出部１４によって検出された室内熱交換器１１における空気の温度を差し引いた値（Ｔｉ−Ｔｄ）の変化量、すなわち、吸入過熱度の変化量ΔＴｉｄが予め定められた値ΔＴｉｄｕ以上になると、膨張弁２８の開度Ｐをもとの値に戻している。
【００４９】
図３は、運転中においてスクロール圧縮機の転覆現象を防止するために、図１に示す制御部１５または制御部２９を構成するマイクロコンピュータの処理手順のもう一つの例を示すフローチャートである。
【００５０】
図１と図３を参照して、リモートコントローラ等の選択部によって複数の運転モードから所定の運転モードが選択された場合の処理手順を説明する。
【００５１】
まず、選択部としてのリモートコントローラ等によって、所定の運転モードが選択されると、リモートコントローラ等から、室内機１０の制御部１５に運転モードを送信する。この実施の形態では、運転モードは冷房運転である。
【００５２】
そうすると、ステップＳ２０１にて、制御部１５は、選択された運転モードに従って、空調負荷に応じて、スクロール圧縮機２１の回転数Ｎを設定する。このとき、制御部１５は、スクロール圧縮機２１の回転数Ｎを含む制御情報を制御部２９に送信する。制御部２９は、制御部１５から受信した制御情報に応じて、スクロール圧縮機２１の回転数、すなわち、圧縮機モータ２２の回転数を制御する。
【００５３】
この発明の実施の形態では、ステップＳ２０２にて、制御部１５は、設定されたスクロール圧縮機２１の回転数Ｎが予め定められた回転数Ｎｒ以下か否かを判定する。
【００５４】
そして、設定されたスクロール圧縮機２１の回転数Ｎが予め定められた回転数Ｎｒ以下のとき、ステップＳ２０３にて、制御部１５は、室内ファン１２の回転数を一定値だけ減少させるように室内ファン１２を制御する。
【００５５】
設定されたスクロール圧縮機２１の回転数Ｎが予め定められた回転数Ｎｒより高いとき、ステップＳ２０５にて、制御部１５は、室内ファン１２の回転数を維持するように室内ファン１２を制御する。
【００５６】
次に、ステップＳ２０４にて、制御部１５は、室内ファン１２の回転数を減少させている時間ｔが予め定められた時間ｔｃ以上になったか否かを判定する。
【００５７】
そして、室内ファン１２の回転数を減少させている時間ｔが予め定められた時間ｔｃ以上になったとき、ステップＳ２０５にて、制御部１５は、室内ファン１２の回転数をもとの値に上昇させるように室内ファン１２を制御する。
【００５８】
室内ファン１２の回転数を減少させている時間ｔが予め定められた時間ｔｃ以上になっていないとき、室内ファン１２の回転数をもとの値に上昇させない。
【００５９】
この実施の形態では、冷房運転時に制御部１５は、予め定められた時間ｔｃだけ室内ファン１２の回転数を減少させるように室内ファン１２を制御することによって、スクロール圧縮機２１の吸入側における冷媒の圧力を意図的に低下させることができるので、スクロール圧縮機２１の吸入側と吐出側における冷媒に圧力差を強制的に生じさせる。
【００６０】
このようにすることにより、転覆現象が起こる前に、スクロール圧縮機２１の回転数が一定値Ｎｒ以下になるときに吸入側と吐出側における冷媒に圧力差を強制的に生じさせるので、転覆現象を未然に防止することができる。また、一定時間後、室内ファン１２の回転数をもとに戻すことができる。
【００６１】
図４は、運転中においてスクロール圧縮機の転覆現象を防止するために、図１に示す制御部１５または制御部２９を構成するマイクロコンピュータの処理手順のさらに別の例を示すフローチャートである。
【００６２】
図１と図４を参照して、リモートコントローラ等の選択部によって複数の運転モードから所定の運転モードが選択された場合の処理手順を説明する。
【００６３】
まず、選択部としてのリモートコントローラ等によって、所定の運転モードが選択されると、リモートコントローラ等から、室内機１０の制御部１５に運転モードを送信する。この実施の形態では、運転モードは暖房運転である。
【００６４】
そうすると、ステップＳ３０１にて、制御部１５は、選択された運転モードに従って、空調負荷に応じて、スクロール圧縮機２１の回転数Ｎを設定する。このとき、制御部１５は、スクロール圧縮機２１の回転数Ｎを含む制御情報を制御部２９に送信する。制御部２９は、制御部１５から受信した制御情報に応じて、スクロール圧縮機２１の回転数、すなわち、圧縮機モータ２２の回転数を制御する。
【００６５】
この発明の実施の形態では、ステップＳ３０２にて、制御部１５は、設定されたスクロール圧縮機２１の回転数Ｎが予め定められた回転数Ｎｒ以下か否かを判定する。
【００６６】
そして、設定されたスクロール圧縮機２１の回転数Ｎが予め定められた回転数Ｎｒ以下のとき、ステップＳ３０３にて、制御部１５は、室外ファン２６の回転数を一定値だけ減少させるように室外ファン２６を制御する制御情報を制御部２９に送信する。制御部２９は、制御部１５から受信した制御情報に応じて、室外ファン２６の回転数を制御する。
【００６７】
設定されたスクロール圧縮機２１の回転数Ｎが予め定められた回転数Ｎｒより高いとき、ステップＳ３０５にて、制御部１５は、室外ファン２６の回転数を維持するように室外ファン２６を制御する制御情報を制御部２９に送信する。制御部２９は、制御部１５から受信した制御情報に応じて、室外ファン２６の回転数を制御する。
【００６８】
次に、ステップＳ３０４にて、制御部１５は、室外ファン２６の回転数を減少させている時間ｔが予め定められた時間ｔｃ以上になったか否かを判定する。
【００６９】
そして、室外ファン２６の回転数を減少させている時間ｔが予め定められた時間ｔｃ以上になったとき、ステップＳ３０５にて、制御部１５は、室外ファン２６の回転数をもとの値に上昇させるように室外ファン２６を制御する制御情報を制御部２９に送信する。制御部２９は、制御部１５から受信した制御情報に応じて、室外ファン２６の回転数を制御する。
【００７０】
室外ファン２６の回転数を減少させている時間ｔが予め定められた時間ｔｃ以上になっていないとき、室外ファン２６の回転数をもとの値に上昇させない。
【００７１】
この実施の形態では、暖房運転時に制御部１５は、予め定められた時間ｔｃだけ室外ファン２６の回転数を減少させるように室外ファン２６を制御することによって、スクロール圧縮機２１の吸入側における冷媒の圧力を意図的に低下させることができるので、スクロール圧縮機２１の吸入側と吐出側における冷媒に圧力差を強制的に生じさせる。
【００７２】
このようにすることにより、転覆現象が起こる前に、スクロール圧縮機２１の回転数が一定値Ｎｒ以下になるときに吸入側と吐出側における冷媒に圧力差を強制的に生じさせるので、転覆現象を未然に防止することができる。また、一定時間後、室外ファン２６の回転数をもとに戻すことができる。
【００７３】
なお、上記の実施の形態において、Ｎｒ、Ｐｒ、Ｔｏｕ、ΔＴｉｄｕおよびｔｃの値、室内ファンと室外ファンの回転数を減少させる割合または減少値は、制御部１５内で不揮発性メモリ（ＥＥＰＲＯＭ）に記憶され、適宜、変更することができる。
【００７４】
また、選択部としてリモートコントローラ等によって選択された運転モードに従って、スクロール圧縮機２１の回転数の上限値が強制的に規制され、スクロール圧縮機２１の吸入側と吐出側における冷媒の圧力差が小さくなるような運転モード、たとえば、「静音」運転、「省エネルギ」運転、「省パワー」運転等のモードが選択された場合にも、本発明では、転覆現象が起こる前に、圧縮機の回転数が一定値以下になるときに吸入側と吐出側における冷媒に圧力差を強制的に生じさせるので、転覆現象を未然に防止することができる。
【００７５】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００７６】
【図１】この発明の一つの実施の形態として空気調和機の冷凍サイクルを示す図である。
【図２】運転中においてスクロール圧縮機の転覆現象を防止するために、制御部を構成するマイクロコンピュータの処理手順の一例を示すフローチャートである。
【図３】運転中においてスクロール圧縮機の転覆現象を防止するために、制御部を構成するマイクロコンピュータの処理手順のもう一つの例を示すフローチャートである。
【図４】運転中においてスクロール圧縮機の転覆現象を防止するために、制御部を構成するマイクロコンピュータの処理手順のさらに別の例を示すフローチャートである。
【符号の説明】
【００７７】
１：空気調和機、１０：室内機、１１：室内熱交換器、１２：室内ファン、１４：室内熱交換器温度検出部、１５，２９：制御部、２０：室外機、２１：スクロール圧縮機、２１ａ：吐出温度検出部、２１ｂ：吸入温度検出部、２６：室外ファン、２８：膨張弁。
【図１】
2007198664.tif 000003
【図２】
2007198664.tif 000004
【図３】
2007198664.tif 000005
【図４】
2007198664.tif 000006